(57)【要約】【課題】  自動改札通過時に搭乗券に対してな各種情報や広告の提供を行い、利用者の利便性向上、および改札機設置機関や提携業者等の売上げ向上を図る。【解決手段】  自動改札が可能な搭乗券に管理番号を持つ画像を電子情報として蓄積する蓄積手段と、磁気データ等、持参人が識別できる機能を含み、かつ、再書き換え可能な染剤が表面に塗布された搭乗券と、前記搭乗券を識別可能であり、管理番号と合致する搭乗券が通過した場合は、すでに前記染剤上に書き込まれた画像を消去し、画像を印字することが可能にすることにより、個別にメッセージを表示する事ができる改札機能を有するプリンタシステムを構築する。【選択図】図１
2005222428.tif 000002
【特許請求の範囲】
【請求項１】
券面に記録された情報に基いて自動的に改札処理を行う改札プリンタであって、
管理番号を持つ画像を電子情報として蓄積する蓄積手段と、
再書き換え可能な染剤が塗布された搭乗券への画像の書き込み及び消去を行う画像書換手段と、
前記券面に記された識別番号を読み取る識別手段と
からなり、券面の改札処理の際に認識した識別番号に基いて、前記電子情報を当該券面に書き込むことを特徴とする改札プリンタ。
【請求項２】
請求項１に記載の改札プリンタであって、
前記改札処理の際に、前記券面に予め書き込まれている他の電子情報を消去した後、所望の電子情報を書き込むことを特徴とする改札プリンタ。
【請求項３】
請求項１および２のいずれかに記載の改札プリンタであって、
前記蓄積手段に対して外部からアクセス可能な通信回線によって特定の管理番号と画像を書き込むことが可能であることを特徴とする改札プリンタ。
【請求項４】
チケットの記載内容を書き換え可能な自動改札機と座席予約システムとから成る座席予約装置であって、
前記座席予約システムは、
希望座席のチケットを発券する機能と、
希望座席に空がないときに代替の座席を提示して発券する機能と、
利用者毎の発券番号と座席番号とを管理する機能と、
前記希望座席の予約取り消し待ちを受け付ける機能と、
前記希望座席の予約取り消しがあった際に、当該座席の予約取り消し待ちをしている利用者の発券番号を検索し、管理している座席番号を希望座席番号に変更する機能と、
前記変更した希望座席番号と発券番号とを前記自動改札機へ通知する機能と
を有し、
前記自動改札機は
前記座席予約システムから通知された発券番号のチケットが自動改札を通過する際に、前記希望座席番号への書き換えを行う機能を有すること
を特徴とする座席予約装置。
【請求項５】
請求項４に記載の座席予約装置であって、
前記自動改札機は付加情報を加えて前記チケットに印刷する機能を有することを特徴とする座席予約装置。
【発明の詳細な説明】
【技術分野】
【０００１】
本発明は、再書き込み可能な搭乗券用プリンタを有する改札プリンタおよびそれを用いた予約システムに関する。
【背景技術】
【０００２】
自動改札機を利用して、個々の利用者毎の個別情報を提供するシステムとしては、特許文献１に示すような、利用者の個人情報読み取り手段と個人情報に基づき自動改札機に備わる表示手段に広告が表示される事例が開示されている。
【０００３】
【特許文献１】特開２００３−４４８６５号公報（図２）
【発明の開示】
【発明が解決しようとする課題】
【０００４】
しかしながら特許文献１に記載の構成では、自動改札機に取り付けられた表示手段に表示されるだけのため、利用者の記憶に必ずしも残らない点で、サービスとして充分とはいえない。また、現状使用されている自動改札機では、一旦、搭乗券表面に情報を書き込んでしまうと情報の消去ができないため、古い情報も残ってしまい、誤った情報が記載続けられる事も問題としてあげられる。
【課題を解決するための手段】
【０００５】
本発明では、広告その他情報が利用者の記憶に残るように、自動改札が可能な搭乗券に管理番号を持つ画像を電子情報として蓄積する蓄積手段と、磁気データ等、持参人が識別できる機能を含み、かつ、再書き換え可能な染剤が表面に塗布された搭乗券と、前記搭乗券を識別可能であり、管理番号と合致する搭乗券が通過した場合は、すでに前記染剤上に書き込まれた画像を消去し、画像を印字することが可能にすることにより、個別にメッセージを表示する事ができる改札機能を有するプリンタシステムを構築する。
【発明の効果】
【０００６】
乗客が自動改札を通過するだけで、最新の情報が搭乗券に書き換えられるため、乗客の利便性が大幅に向上させることができる。
【発明を実施するための最良の形態】
【０００７】
図1は本発明における改札プリンタの機能ブロック図であり、図２は本発明における改札処理時のフローチャート、図３は本発明における改札プリンタの構成概要、図４は改札処理時の印字実施例である。また、図５は本発明の改札プリンタを用いたシステム構成である。以下、これらを用いて、本発明の実施例に於ける基本動作を説明する。
【０００８】
改札プリンタ１０１は装置全体の制御を司る役目をも有しており、制御部１０２と、画像蓄積部１０３と、画像消去部１０４と、搬送部１０５と、印字部１０６と、識別部１０７と、搭乗券検出手段１０８と、搭乗券搬送手段1 （１０９）と、搭乗券搬送手段２ （１１０）と、搭乗券搬送手段３ （１１１）と、搭乗券搬送手段４（１１２）とから構成される。
【０００９】
制御部１０２はプロセッサおよびメモリなどから構成され、ストアードプログラム方式等が用いられる。画像蓄積部１０３は、制御部１０２と信号線１３０を介して接続される。印字部１０６は、制御部１０２と信号線１３３を介して接続され、再書き換え可能な搭乗券に図や文書等を書き込むものである。搭乗券の表面４０１には、局所的に分子構造を変更することにより、光の吸収、反射状況が変わることによって画像を結像できる原理を応用し、その分子構造を元に戻すことにより再書き換え可能な染剤が塗布されている。なお、このような再書き換え可能な染剤としては、例えば特開２００３−１２７５５号公報で示されるものがある。
【００１０】
画像消去部１０４は制御部１０２と信号線１３１を介して接続され、前記搭乗券表面の染剤の分子構造を一律にすることにより画像を消去する機能を有する。識別部１０７は制御部１０２と信号線１３４を介して接続され、前記搭乗券の裏面４０２に磁気等によって書き込まれた搭乗券管理番号を読み取る機能を有する。本発明では、一例として搬送長軸方向に７本の磁気トラックを持つＮＲＺ方式の磁気ヘッドを使用するものとする。
【００１１】
搬送部１０５は制御部１０２と信号線１３２を介して接続され、搭乗券搬送手段１（１０９）〜搭乗券搬送手段４（１１２）に対して搭乗券を搬送する動作の制御を行う。搭乗券検出手段１０８は前記搬送部１０５と信号線１３５を介して接続され、挿入口３３０における搭乗券の存在の有無を検出する。
【００１２】
搭乗券搬送手段１（１０９）は前記搬送部１０５と信号線１３６を介して接続され、前記搭乗券を前記検出手段１０８から前記識別部１０７間で搬送する機能を有する。例えば、搬送路３３２上に平行に設置されたベルト、前記ベルトを駆動するモータ、制御センサから構成される。
【００１３】
搭乗券搬送手段２（１１０）は前記搬送部１０５と信号線１３７を介して接続され、前記搭乗券を前記識別部１０７から前記消去部１０４へ搬送する。搭乗券搬送手段３（１１１）は前記搬送部１０５と信号線１３８を介して接続され、前記搭乗券を前記消去部１０４から前記印字部１０６まで搬送する。搭乗券搬送手段４（１１２）は前記搬送部１０５と信号線１３９を介して接続され、前記搭乗券を前記印字部１０６から排出口３３１まで搬送する。
【００１４】
ここで搭乗券が挿入口３３０に挿入された場合（Ｓ２０１）、それを検出した検出手段１０８より報告を受けた搬送部１０５は、それを制御部１０２に報告するとともに、搭乗券搬送手段1（１０９）に対して搭乗券を識別部１０７まで搬送するよう指示する（Ｓ２０２）。識別部１０７では前記搭乗券に書き込まれた磁気情報を読み取り、読み取った情報から管理番号を抽出する（Ｓ２０３）。制御部１０２は、画像蓄積部１０３内に前記管理番号の画像が格納されているか、検索を行う（Ｓ２０４）。
【００１５】
画像蓄積部１０３に該当管理番号が無かった場合、搬送部１０５に対し、搭乗券を排出口３３１まで搬送するよう指示を与える（Ｓ２１０）。
【００１６】
画像蓄積部１０３に該当管理番号を見いだした場合、制御部１０２は搬送部１０５に対し、画像消去及び印字が必要なことを指示する。それを受けた搬送部１０５は、搭乗券搬送手段２（１１１）に対して搭乗券を消去部１０４まで搬送するよう指示する（Ｓ２０５）。消去部１０４を前記搭乗券が通過する際の消去漏れを防止するため、搬送速度を５０％低下させ、画像の消去を行う（Ｓ２０６）。引き続き搬送部１０５は搭乗券搬送手段３（１１１）に対し、搭乗券を印字部１０６まで搬送するよう指示する（Ｓ２０７）。制御部１０２は画像蓄積部１０３から該当管理番号と合致する画像情報を印字部１０６に転送する。それを受け印字部１０６は前記搭乗券に印字を行い（Ｓ２０８）、また印字開始を制御部１０２に報告する。それを受けた搬送部１０５は、搭乗券搬送手段３（１１２）に対して搭乗券を排出口３３１へ搬送するよう指示する（Ｓ２０９）。
【００１７】
図５は本発明の改札プリンタ１０１を用いてを構成したシステムであり、改札プリンタ１０１は高速データ網にて相互に接続され、他の改札プリンタ１０１の画像蓄積部１０３にある画像情報とそれと合致する管理番号とを相互に共有することができ、また各改札プリンタ１０１はネットワークゲート５０１と高速データ網にて接続され、ネットワークゲート５０１から送付された画像情報と管理番号とを各々の画像蓄積部１０３に格納できる。
【００１８】
ネットワークゲート５０１は公衆ネットワーク５０２に接続され、公衆ネットワーク５０２に接続された画像情報と管理番号が送信可能な端末５１０と交信可能としている。端末５０１から公衆ネットワーク５０２経由でネットワークゲート５０１に接続し、画像情報と搭乗券管理番号および必要に応じてパスワードないしネットワークゲート使用課金情報を送付する。
【００１９】
ネットワークゲート５０１は、高速データ網にて改札プリンタ１０１に対し管理番号と画像情報を送付する。改札プリンタ１０１に画像蓄積部１０３に格納された管理番号を有する搭乗券が通過するとき、搭乗券の券面５５１を５５２で示すように書き換える。
【実施例１】
【００２０】
先に説明した図１〜５に加え、図６〜８を用いて本発明の第１の実施例を説明する。改札プリンタ１０１は、高速データ網にて相互に接続され、他の改札プリンタ１０１の画像蓄積部１０３にある画像情報とそれと合致する管理番号を相互に共有することができる。また、各改札プリンタ１０１は搭乗する座席を管理する 座席予約システム６０１と高速データ網にて接続され、また座席予約システム６０１は、座席の予約状況を一元的に管理するシステムであり、各種端末と接続され座席予約が可能である。
【００２１】
前記座席予約システム６０１は発券端末６１１と接続されるとともに、ネットワークゲート６０２および公衆ネットワーク６０３を介して、一般端末６１２（移動体通信端末、パソコン等）と接続されている。
【００２２】
図８は座席予約システムのワークフローである。発券端末６１１、一般端末６１２が操作されることによって、搭乗予定の交通機関の希望座席（乙席）を予約依頼するが（Ｓ６７０）、希望座席が予約済みのため（Ｓ６７１）、その旨を回答するとともに、他の空座席（甲席）が予約可能であることを回答する（Ｓ６７２）。
【００２３】
これに対して甲席の発券要求を受けると（Ｓ６７３）、甲席の座席番号が書かれた座席指定搭乗券を発券するとともに、該搭乗券の発券番号「ＸＸＸＸ」を記録する（Ｓ６７４）。このとき、甲席の発券を受けた客が乙席のキャンセル待ち要求を行うと（Ｓ６７５）、当該発券番号のキャンセル待ち状態を座席予約システム６０１に登録する（Ｓ６７６）。
【００２４】
その後、乙席にキャンセルが発生した場合（Ｓ６７７）、座席予約システム６０１は乙席をキャンセル待ちしている発券番号「ＸＸＸＸ」を検索し、自動的にその座席番号を甲席から乙席へ変更し（Ｓ６７８）、改札プリンタ１０１に対しては該当搭乗券の甲席から乙席への書き換えを指示する（Ｓ６７９）。そして該搭乗券持参者が、改札プリンタ１０１を通過すると（Ｓ６８０）、自動的に座席指定搭乗券の再書き換えを行う（Ｓ６８１）。
【００２５】
図７は本実施例によって搭乗券が書き換えられる状態を示す一例である。乗客は当初禁煙席を希望したものの、空がないためやむなく喫煙席の発券を受け、禁煙席のキャンセル待ちを指定する。その後、禁煙席にキャンセルが発生すると、予約システム内のデータは本乗客の座席は禁煙席に変更され、本乗客が自動改札を通過した際に改札プリンタにて搭乗券に書かれた指定座席が喫煙席から禁煙席に書き換えられる。このため、キャンセル待ちのため発券窓口に行くことなく希望の席に座ることができる。
【実施例２】
【００２６】
図９および１０は本願発明の第２の実施例を説明するものである。改札プリンタ１０１は高速データ網にて相互に接続され、他の改札プリンタ１０１の画像蓄積部１０３にある文字情報とそれと合致する管理番号を相互に共有することができる。また各改札プリンタ１０１はネットワークゲート５０１と高速データ網にて接続され、ネットワークゲート５０１から送付された文字情報と管理番号を画像蓄積部１０３に格納できる。
【００２７】
ネットワークゲート５０１は公衆ネットワーク５０２に接続され、公衆ネットワーク５０２に接続された文字情報と管理番号が送信可能な端末５１０と交信可能としている。端末５１０から公衆ネットワーク５０２経由でネットワークゲート５０１に接続し、文字情報と搭乗券管理番号、および必要に応じてパスワードないしネットワークゲート使用課金情報を送付する。
【００２８】
ネットワークゲート５０１は高速データ網にて、改札プリンタ１０１に対し管理番号と画像情報を送付する。改札プリンタ１０１において、画像蓄積部１０３に格納された管理番号を有する搭乗券が通過するとき、図１０の改札前の搭乗券７５１を改札後搭乗券７５２へ書き換える。これによって、改札を通過する毎に搭乗券持参人に対して情報を提供することができる。
【実施例３】
【００２９】
図１１および１２は本願発明の第３の実施例を説明するものである。改札プリンタ１０１は高速データ網にて相互に接続され、他の改札プリンタ１０１の画像蓄積部１０３にある画像情報とそれと合致する管理番号を相互に共有することができる。また、各改札プリンタ１０１はネットワークゲート５０１と高速データ網にて接続され、ネットワークゲート５０１から送付された画像情報と管理番号を画像蓄積部１０３に格納できる。
【００３０】
ネットワークゲート５０１は公衆ネットワーク５０２に接続され、公衆ネットワーク５０２に接続された画像情報と管理番号が送信可能な端末８１０と交信可能としている。
【００３１】
端末８１０から公衆ネットワーク５０２経由でネットワークゲート５０１に接続し、画像情報８５０と搭乗券管理番号および必要に応じてパスワードないしネットワークゲート使用課金情報を送付する。
【００３２】
ネットワークゲート５０１は受信した画像情報を嗜好的な画像８５３と合成し、その後、ネットワークゲート５０１は高速データ網にて改札プリンタ１０１に対し管理番号と画像情報を送付する。
【００３３】
改札プリンタ１０１に画像蓄積部１０３に格納された管理番号を有する搭乗券が通過するとき、改札前の搭乗券８５１の券面を改札後の搭乗券８５２のように書き換える。これにより搭乗券持参人に対して各種情報を提供することができる。
【実施例４】
【００３４】
図１３および１４は本願発明の第４の実施例を説明するものである。改札プリンタ１０１は高速データ網にて相互に接続され、他の改札プリンタ１０１の画像蓄積部１０３にある画像情報とそれと合致する管理番号を相互に共有することができる。また各改札プリンタ１０１は画像管理装置９０１と高速データ網にて接続される。
【００３５】
画像管理装置９０１は改札プリンタ設置機関の意図に基づいて、搭乗記念となるような券面デザインの画像、復路割引券、広告、抽選番号等の各種画像情報９４１を受信し、蓄積することができる。乗客が改札を通過する際に、これら蓄積した情報を適宜選択して、改札前の搭乗券９５１の券面を改札後の搭乗券８５２のように書き換える。画像情報の選択としては、搭乗券の種別に従って行っても良いし、搭乗券発行会社と提携する店舗の広告等を一律に提供するようにしてもよい。これによって搭乗券持参人に対して情報を提供することができる。
【図面の簡単な説明】
【００３６】
【図１】本願発明の機能ブロック図である。
【図２】本願発明のフローチャートである。
【図３】本願発明の装置構成図である。
【図４】本願発明に用いる再書き換え可能な搭乗券の一例である。
【図５】本願発明のシステム構成図である。
【図６】本願発明のシステム構成図である。
【図７】本願発明の搭乗券の一例である。
【図８】本願発明のフローを説明する図である。
【図９】本願発明のシステム構成図である。
【図１０】本願発明の搭乗券の一例である。
【図１１】本願発明のシステム構成図である。
【図１２】本願発明の搭乗券の一例である。
【図１３】本願発明のシステム構成図である。
【図１４】本願発明の搭乗券の一例である。
【符号の説明】
【００３７】
１０１・・・改札プリンタ、１０２・・・制御部、１０３・・・画像蓄積部、１０４・・・:画像消去部、１０５・・・搬送部、１０６・・・印字部、１０７・・・識別部、１０８・・・搭乗券検出手段、１０９・・・搭乗券搬送手段１、１１０・・・搭乗券搬送手段２、１１１・・・搭乗券搬送手段３、１１２・・・搭乗券搬送手段４、３３０・・・搭乗券挿入口、３３１・・・搭乗券排出口、３３２・・・搬送路、５０１・・・ネットワークゲート、５０２・・・公衆ネットワーク、５１０・・・端末、６０１・・・座席予約システム、６０２・・・ネットワークゲート、６０３・・・公衆ネットワーク、６１１・・・専用端末、６１２・・・一般端末
【図１】
2005222428.tif 000003
【図２】
2005222428.tif 000004
【図３】
2005222428.tif 000005
【図４】
2005222428.tif 000006
【図５】
2005222428.tif 000007
【図６】
2005222428.tif 000008
【図７】
2005222428.tif 000009
【図８】
2005222428.tif 000010
【図９】
2005222428.tif 000011
【図１０】
2005222428.tif 000012
【図１１】
2005222428.tif 000013
【図１２】
2005222428.tif 000014
【図１３】
2005222428.tif 000015
【図１４】
2005222428.tif 000016